(57)【要約】【課題】小型で終了処理が完了可能な電力を提供できるコンデンサを備える計器装置を提供する。【解決手段】計器装置は、電源と制御回路との間に、遮断部３１１と、コンデンサＣ１，Ｃ２を備える充電部３１２と、出力制御部３１４と、出力保持部３１５と、出力部３１６を備える。遮断部３１１は、電源オン時は、電源を充電部３１２に供給し、コンデンサＣ１，Ｃ２を充電し、電源オフ時は充電部３１２と電源とを切り離す。出力制御部３１４は、コンデンサＣ１，Ｃ２の充電電圧が、制御回路の終了処理に必要な電力が蓄積されたときの充電電圧以上の所定の閾値電圧以上となったときに、出力部３１６を、コンデンサの充電電圧を制御回路に印加する状態に切り換える。出力保持部３１５は、制御回路による終了処理が終了するまで、コンデンサＣ１，Ｃ２の充電電圧を制御回路に印加する状態を出力部３１６に保持させる。【選択図】図２
2019059414.tif 000002
【特許請求の範囲】
【請求項１】
電源がオフしたときに、計器を制御する制御回路に終了処理を実行させるための電力を蓄電するコンデンサと、
前記コンデンサの充電電圧を前記制御回路に印加する出力部と、
前記コンデンサの充電電圧が、前記制御回路の終了処理に必要な電力が蓄積されたときの充電電圧以上の所定の閾値電圧以上となったときに、前記出力部を、前記コンデンサの充電電圧を前記制御回路に印加しない状態から印加する状態に切り換える出力制御部と、
前記制御回路の終了処理が終了するまで、前記コンデンサの充電電圧を前記制御回路に印加する状態を前記出力部に保持させる出力保持部と、
を備える計器装置。
【請求項２】
電源と前記コンデンサとの間に配置され、電源がオンしているときには、電源からの電力を前記コンデンサに供給し、電源がオフしているときには、前記コンデンサから電源への電力の流入を遮断する遮断部、を備える、
請求項１に記載の計器装置。
【請求項３】
前記制御回路に電力を出力する電力出力端子と、前記遮断部の出力端を前記電力出力端子に直接接続する回路と、を備え、
前記出力部は、前記コンデンサの充電電圧を前記電力出力端子に印加する、
請求項２に記載の計器装置。
【請求項４】
指針付き計器をさらに備え、
前記制御回路の終了処理は、前記指針付き計器の帰零処理である、
請求項１から３のいずれか１項に記載の計器装置。
【発明の詳細な説明】
【技術分野】
【０００１】
本発明は計器装置に関する。
【背景技術】
【０００２】
車両には、速度、エンジンの回転数等を表示するための多数の計器が配置されている。計器の中には、指針により計測値を表示する指針付き表示装置（アナログメータ）がある。指針付き計器は、指針を回動或いはスライドさせることにより、指針により指標を指示し、計測値を表示するものである。指針付き計器は、イグニッションのオフ時に、指標を０に戻す（帰零する）必要がある。しかし、イグニッションがオフされているため、帰零の途中で駆動電力が失われてしまい、指針を０に戻せない事態が発生しうる。
【０００３】
この問題を解決する手法として、特許文献１，２に開示されているように、バックアップ電源を用意し、イグニッションオフ後、バックアップ電源を利用して、帰零処理を実行することが考えられる。
【先行技術文献】
【特許文献】
【０００４】
【特許文献１】特開２０１７−１４０８８８号公報
【特許文献２】特開２０１４−２１０５１１号公報
【発明の概要】
【発明が解決しようとする課題】
【０００５】
バックアップ電源を配置すると、装置が大型化する。このため、二輪車、小型車両等には適用しづらく、また、コストも大きくなるという問題がある。
【０００６】
この問題を解決する手段として、コンデンサにより電源電圧をバックアップする手法が考えられる。しかし、バックアップ元の電源電圧と供給先の制御回路の電源電圧に差がある場合、コンデンサは、帰零処理に十分な容量を有し、且つ、充電するに十分な耐圧を有する必要があり、大型化を逃れない。また、コンデンサに蓄電した電力が帰零処理以外の様々な処理に使用される結果、コンデンサが大型化してしまう。コンデンサの大型化は、計器装置を小型化したり、構造の異なる複数のメータをひとつの構造下に統合する際には大きな障害となる。
【０００７】
同様の問題は、帰零処理に限らず、イグニッションオフ後に実行する必要がある終了処理に共通して存在する。
【０００８】
本発明は、上記事情に鑑みてなされたものであり、小型で終了処理が完了可能な電力を提供できるコンデンサを備える計器装置を提供することを目的とする。
【課題を解決するための手段】
【０００９】
上記の目的を達成するため、本発明に係る計器装置は、
電源がオフしたときに、計器を制御する制御回路に終了処理を実行させるための電力を蓄電するコンデンサと、
前記コンデンサの充電電圧を前記制御回路に印加する出力部と、
前記コンデンサの充電電圧が、前記制御回路の終了処理に必要な電力が蓄積されたときの充電電圧以上の所定の閾値電圧以上となったときに、前記出力部を、前記コンデンサの充電電圧を前記制御回路に印加しない状態から印加する状態に切り換える出力制御部と、
前記制御回路の終了処理が終了するまで、前記コンデンサの充電電圧を前記制御回路に印加する状態を前記出力部に保持させる出力保持部と、
を備える。
【発明の効果】
【００１０】
この発明によれば、コンデンサは制御回路と同一の電源電圧より充電され、終了処理に必要な電力以上の電力が充電されたときに、コンデンサの充電電圧を制御回路に印加し、終了処理が完了するまで、その状態を保持する。これにより、コンデンサは相対的に小さい耐圧を有すればよく、また、電力の利用効率が高く、コンデンサを小型化することができる。
【図面の簡単な説明】
【００１１】
【図１】本発明の実施の形態に係る計器装置の回路図である。
【図２】図１に示す計器装置の充電装置の回路図である。
【発明を実施するための形態】
【００１２】
以下、本発明を実施するための形態に係る計器装置を、図面を参照しながら説明する。
【００１３】
実施の形態に係る計器装置１００は、コンデンサを備え、イグニッションオフ後、コンデンサに充電した電力を用いて帰零処理を含む終了処理を実施するものであり、図１に示すように、指針付き計器１１と、制御回路２１と、制御回路２１に電力を供給する充電装置３１と、レギュレータ４１と、共通電源線５１と、バッテリＢＴと、イグニッションスイッチＩＧＳＷと、他の回路６１とを備える。
【００１４】
指針付き計器１１は、スピードメータ、タコメータ、フュエルメータ等であり、指針で指標を指示することにより計測値を表示する。指針付き計器１１は、指針１１１と、指針１１１を駆動するステッピングモータ等の図示せぬアクチュエータと、指針１１１が指示する指標が配置されたパネル１１２とを備える。アクチュエータは制御回路２１により駆動される。
【００１５】
制御回路２１は、マイクロコンピュータ等から構成され、充電装置３１からの電力を電源端子Ｔpowerに受けて動作し、指針付き計器１１を制御及び駆動する。また、制御回路２１には、ＥＣＵ（Electronic Control Unit）等の上位装置から、イグニッションのオン・オフを示すイグニッション信号ＳＩＧが供給され、また、車速、エンジンの回転速度等の計測値が他の回路６１より通知される。制御回路２１は、イグニッションがオンの期間には、指針付き計器１１の指針１１１が通知された計測値を指示するようにアクチュエータを制御する。また、制御回路２１は、イグニッション信号ＳＩＧがイグニッションのオフを指示すると、指針１１１が指標「０」を指示するようにアクチュエータを駆動する終了処理を実行する。
【００１６】
充電装置３１は、共通電源線５１を介してレギュレータ４１から、所定電圧の電力を入力端子Ｔinに受け、これを電力出力端子Ｔoutから制御回路２１の電源端子Ｔpowerに供給する。また、充電装置３１は、レギュレータ４１から供給された所定の電源電圧で内部のコンデンサを充電して蓄電し、電源の供給が停止すると、コンデンサに蓄電している電力を、終了処理のために制御回路２１に供給する。充電装置３１の詳細は後述する。なお、以下の説明では、所定の電源電圧を信号系の５Ｖとして説明する。
【００１７】
バッテリＢＴは、鉛蓄電池、リチュームイオン電池などの二次電池から構成され、例えば、所定のバッテリ電圧を出力する。なお、以下の説明では、所定のバッテリ電圧を１３Ｖとして説明する。
【００１８】
イグニッションスイッチＩＧＳＷは、バッテリＢＴの出力端（図では、正極端子）とレギュレータ４１の入力端との間に配置され、イグニッション信号ＳＩＧがイグニッションオンを指示したときに、閉じて、バッテリＢＴからの１３Ｖの電力をレギュレータ４１に供給し、イグニッション信号ＳＩＧがイグニッションオフを指示したときに、開いて、バッテリＢＴからのレギュレータ４１への電力の供給を停止する。
【００１９】
レギュレータ４１は、LDO（Low Drop-Out）レギュレータ、スイッチングレギュレータなどのDC/DC（Direct Current/Direct Current）コンバータから構成され、バッテリＢＴからの１３Ｖの直流電力を５Ｖの直流電力に変換し、共通電源線５１に出力する。
【００２０】
共通電源線５１は、レギュレータ４１が出力した５Ｖの電源を充電装置３１及び他の回路６１に供給する。
バッテリＢＴ〜共通電源線５１までの回路は、充電装置３１及び他の回路６１に電力を供給する電源装置として機能する。
【００２１】
他の回路６１は、共通電源線５１からの電力の供給を受け、様々な処理を行う。他の回路６１は、例えば、スイッチ入力回路、各種センサなどから構成される。
【００２２】
次に、充電装置３１の詳細を図２を参照して説明する。
充電装置３１は、内部のコンデンサを充電して蓄電する装置であり、図２に示すように、充電装置３１は、機能的に、遮断部３１１と、充電部３１２と、分圧部３１３と，出力制御部３１４と、出力保持部３１５と、出力部３１６とを備える。
【００２３】
遮断部３１１は、共通電源線５１に５Ｖが印加されている際には、５Ｖ電力を電力出力端子Ｔoutと充電部３１２に伝達し、共通電源線５１が接地レベルの際には、共通電源線５１と充電装置３１とを電気的に分離する。
【００２４】
図示するように、遮断部３１１は、共通電源線５１に接続された入力端子Ｔinと、ＰＮＰバイポーラトランジスタＴｒ１１と、ＮＰＮバイポーラトランジスタＴｒ１２とを備える。
【００２５】
なお、以下、バイポーラトランジスタを単にトランジスタと呼ぶ。
【００２６】
入力端子Ｔinは、共通電源線５１に接続されている。ＰＮＰトランジスタＴｒ１１のエミッタは入力端子Ｔinに接続され、そのベースは抵抗Ｒ１２を介して、そのエミッタに接続される。また、ＰＮＰトランジスタＴｒ１１のベースは電流制限抵抗Ｒ１１の一端に接続されている。ＮＰＮトランジスタＴｒ１２のコレクタは、電流制限抵抗Ｒ１１の他端に接続され、そのベースは抵抗Ｒ１４を介して入力端子Ｔinに接続され、そのエミッタは接地されると共に抵抗Ｒ１３を介して、そのベースに接続される。
【００２７】
ＰＮＰトランジスタＴｒ１１のコレクタは、遮断部３１１の出力端として機能し、内部電源線Ｌ１を介してこの充電装置３１の電力出力端子Ｔoutに直接接続され、また、充電部３１２に接続されている。
【００２８】
充電部３１２は、蓄電部としても機能し、遮断部３１１を介して供給される電力を用いてコンデンサを充電し、コンデンサにより蓄電し、コンデンサに充電された電力を後段の出力部３１６に供給する回路である。充電部３１２は、電流制限抵抗Ｒ２１と、直列に接続された電気二重層コンデンサＣ１とＣ２と、バランス抵抗Ｒ２２とＲ２３と、を備える。
【００２９】
電流制限抵抗Ｒ２１の一端は、遮断部３１１のＰＮＰトランジスタＴｒ１１のコレクタに接続され、他端は内部電源線Ｌ２に接続されている。電気二重層コンデンサＣ１とＣ２は、内部電源線Ｌ２と接地との間に直列に接続されている。バランス抵抗Ｒ２２とＲ２３とは、それぞれ、電気二重層コンデンサＣ１，Ｃ２に並列に接続されており、電気二重層コンデンサＣ１とＣ２の電圧のバランスを取るためのものである。
【００３０】
分圧部３１３は、内部電源線Ｌ２の電圧、即ち、電気二重層コンデンサＣ１，Ｃ２の充電電圧を分圧する回路であり、内部電源線Ｌ２と接地との間に直列に接続された抵抗Ｒ３１とＲ３２とから構成されている。抵抗Ｒ３１とＲ３２の抵抗値は、電気二重層コンデンサＣ１とＣ２に蓄積された電力が、制御回路２１が帰零処理を実行するのに必要な電力以上となったときに、出力制御部３１４の後述するＮＰＮトランジスタＴｒ４１がオンする抵抗比に設定されている。
【００３１】
出力制御部３１４は、電気二重層コンデンサＣ１とＣ２の充電電圧（内部電源線Ｌ２の電圧）が制御回路２１の帰零処理に必要な電力が蓄積されたときの充電電圧以上の所定の閾値電圧以上となったときに、出力部３１６のＰＮＰトランジスタＴｒ６２をオンすることにより、ＰＮＰトランジスタＴｒ６１を、電気二重層コンデンサＣ１，Ｃ２の充電電圧を制御回路２１に印加しないオフ状態から印加するオン状態に切り換えるように制御する回路である。
【００３２】
出力制御部３１４は、ＮＰＮトランジスタＴｒ４１を備える。ＮＰＮトランジスタＴｒ４１のベースは、入力抵抗Ｒ４１を介して分圧部３１３の抵抗Ｒ３１とＲ３２の接続ノードに接続され、そのエミッタは、抵抗Ｒ４２を介してベースに接続されると共に接地されている。さらに、ＮＰＮトランジスタＴｒ４１のコレクタは、出力部３１６のＰＮＰトランジスタＴｒ６２のオン状態とオフ状態とを切り換えるための共通線Ｌ３に接続されている。
【００３３】
出力保持部３１５は、帰零処理が終了するまで、電気二重層コンデンサＣ１，Ｃ２の充電電圧を制御回路２１に印加する状態を出力部３１６に保持させるように、出力部３１６のＰＮＰトランジスタＴｒ６１のオン状態を保持するため、ＰＮＰトランジスタＴｒ６２のオン状態を保持する回路である。出力保持部３１５は、ＮＰＮトランジスタＴｒ５１を備える。ＮＰＮトランジスタＴｒ５１のベースは、入力抵抗Ｒ５１を介して出力部３１６の後述するＰＮＰトランジスタＴｒ６２のコレクタに接続され、そのエミッタは、抵抗Ｒ５２を介してベースに接続されると共に接地されている。ＮＰＮトランジスタＴｒ５１のコレクタは、共通線Ｌ３に接続されている。
【００３４】
出力部３１６は、制御回路２１に電力を出力する回路であり、ＰＮＰトランジスタＴｒ６１とＴｒ６２とを備える。
【００３５】
ＰＮＰトランジスタＴｒ６１のエミッタは、内部電源線Ｌ２に接続され、ベースは電流制限抵抗Ｒ６１の一端と抵抗Ｒ６２の一端に接続され、コレクタは電力出力端子Ｔoutに接続されている。抵抗Ｒ６２の他端はＰＮＰトランジスタＴｒ６１のエミッタに接続されている。
ＰＮＰトランジスタＴｒ６２のエミッタは、電流制限抵抗Ｒ６１の他端に接続され、抵抗Ｒ６３を介して、そのベースに接続されている。ＰＮＰトランジスタＴｒ６２のベースは、抵抗Ｒ６４を介して共通線Ｌ３に接続されている。
【００３６】
電力出力端子Ｔoutは、制御回路２１の電源端子Ｔpowerに接続されている。
【００３７】
次に、上記構成を有する計器装置１００の動作を説明する。
前提として、電気二重層コンデンサＣ１とＣ２は放電状態にあるとする。
イグニッションがオンされると、イグニッションオンを示すイグニッション信号ＳＩＧがイグニッションスイッチＩＧＳＷに供給される。これにより、イグニッションスイッチＩＧＳＷが閉じ、バッテリＢＴの出力する直流電圧１３Ｖがレギュレータ４１に印加される。
【００３８】
レギュレータ４１は、直流１３Ｖを直流５Ｖに変換して、共通電源線５１に出力する。共通電源線５１の電圧が５Ｖになることにより、電源オンとなり、充電装置３１及び他の回路６１は動作を開始する。
【００３９】
より具体的には、共通電源線５１の電圧が５Ｖになると、電源がオンとなり、充電装置３１の入力端子Ｔinの電圧も５Ｖとなる。このため、遮断部３１１のＮＰＮトランジスタＴｒ１２のベース電圧が上昇して、ＮＰＮトランジスタＴｒ１２がオンし、ＰＮＰトランジスタＴｒ１１のベース電流が引かれて、ＰＮＰトランジスタＴｒ１１がオンする。なお、このとき、ＰＮＰトランジスタＴｒ１１を飽和状態とすることが望ましい。
【００４０】
ＰＮＰトランジスタＴｒ１１がオンすることにより、入力端子Ｔinの印加電圧５Ｖが、内部電源線Ｌ１を介してほぼそのまま電力出力端子Ｔoutに印加され、制御回路２１の電源端子Ｔpowerに５Ｖが印加される。これにより、制御回路２１は、電源リセットされ、イニシャライズ処理を行って、その後、通常の制御動作に移る。この制御動作は、センサの計測値に従って、指針付き計器１１のアクチュエータを駆動する動作を含む。
【００４１】
また、ＰＮＰトランジスタＴｒ１１がオンすると、電流制限抵抗Ｒ２１を介して、電気二重層コンデンサＣ１とＣ２とに電流が流れ込み、徐々に充電され、充電電圧、即ち、内部電源線Ｌ２の電圧は徐々に上昇する。
【００４２】
電気二重層コンデンサＣ１とＣ２の充電電圧が、蓄積した電力が、制御回路２１の帰零動作を実行可能な電力量となったときの充電電圧以上の所定の電圧に達すると、分圧部３１３の出力電圧が、ＮＰＮトランジスタＴｒ４１をオンさせる電圧に達する。これにより、ＮＰＮトランジスタＴｒ４１がオンし、共通線Ｌ３の電圧がほぼグランドレベルとなる。
【００４３】
共通線Ｌ３がほぼグランドレベルとなることにより、出力部３１６のＰＮＰトランジスタＴｒ６２のベース電圧がオン閾値を超えるレベル（この場合、ほぼグランドレベル）となり、ＰＮＰトランジスタＴｒ６２がオンし、ＰＮＰトランジスタＴｒ６１のベース電流を引き、ＰＮＰトランジスタＴｒ６１がオンする。これにより、電気二重層コンデンサＣ１とＣ２の充電電力も内部電源線Ｌ２，ＰＮＰトランジスタＴｒ６１，電力出力端子Ｔoutを介して、制御回路２１の電源端子Ｔpowerに印加される。
【００４４】
なお、出力部３１６のＰＮＰトランジスタＴｒ６１とＴｒ６２とが一旦オンすると、抵抗Ｒ６５を流れる電流により電圧降下が発生し、ＰＮＰトランジスタＴｒ６２のコレクタ電圧が上昇し、出力保持部３１５のＮＰＮトランジスタＴｒ５１をオンさせる。ＮＰＮトランジスタＴｒ５１がオンすると、ＮＰＮトランジスタＴｒ４１のオン・オフに関わらず、共通線Ｌ３がグランドレベルとなり、ＰＮＰトランジスタＴｒ６２のオン状態が保持される。
【００４５】
次に、イグニッションオフ時の動作を説明する。
イグニッションがオフされると、イグニッション信号ＳＩＧに応答してイグニッションスイッチＩＧＳＷが開く。これにより、レギュレータ４１へのバッテリＢＴからの電力の供給が停止し、レギュレータ４１は動作を停止し、その出力はグランドレベルとなる。このため、共通電源線５１の電圧もグランドレベルとなる。即ち、充電装置３１への電源の供給が停止する。
【００４６】
共通電源線５１の電圧がグランドレベルとなることにより、ＮＰＮトランジスタＴｒ１２のベース電位がグランドレベルとなり、ＮＰＮトランジスタＴｒ１２がオフする。これにより、ベース電流が流れなくなり、ＰＮＰトランジスタＴｒ１１がオフする。このため、入力端子Ｔin と充電部３１２及び電力出力端子Ｔoutとが電気的に切断され、遮断部３１１から電力出力端子Ｔoutへの電力の供給は停止する。
【００４７】
一方、電気二重層コンデンサＣ１，Ｃ２に蓄積された電荷は、内部電源線Ｌ２とオンしているＰＮＰトランジスタＴｒ６１、電力出力端子Ｔoutを介して、制御回路２１の電源端子Ｔpowerに供給される。
制御回路２１は、イグニッション信号ＳＩＧがオフを指示したことに応答して、充電部３１２から供給される電力を用いて、指針付き計器１１の指針１１１が指標０を指示するように、アクチュエータを駆動する帰零処理を実行する。
【００４８】
制御回路２１の動作に伴って電気二重層コンデンサＣ１，Ｃ２が放電し、内部電源線Ｌ２の電圧が徐々に低下する。このため、分圧部３１３の出力電圧も徐々に低下し、ＮＰＮトランジスタＴｒ４１がオフする可能性がある。ただし、前述したように、ＮＰＮトランジスタＴｒ５１がオン状態であるため、ＮＰＮトランジスタＴｒ４１のオン・オフにかかわらず、制御回路２１が帰零処理を完了して、かつ、その間制御回路２１が動作情報を保つように、ＰＮＰトランジスタＴｒ６１がオン状態を保持する。
【００４９】
制御回路２１は、帰零処理終了後、動作を終了する。
【００５０】
以上説明したように、本実施の形態の計器装置１００によれば、電気二重層コンデンサＣ１，Ｃ２が、バッテリＢＴの出力電圧ではなく、制御回路２１の電源電圧であるレギュレータ４１の出力電圧で充電される。従って、コンデンサの小型化が可能となる。また、電気二重層コンデンサＣ１，Ｃ２を制御回路２１等と同一基板に配置することが容易となり、基板の統合化・統一化が容易となる。
【００５１】
電気二重層コンデンサは、他の種類のコンデンサと比較して、サイズ容量比が大きい。このため、比較的小型でありながら、帰零処理等に要する電力を確保できる。また、電気二重層コンデンサＣ１，Ｃ２により、内部電源線Ｌ２の電圧が安定化される。
【００５２】
出力保持部３１５を配置することにより、電気二重層コンデンサＣ１，Ｃ２の放電により、内部電源線Ｌ２の電圧が低下した場合であっても、出力用のＰＮＰトランジスタＴｒ６１がオンし続け、電気二重層コンデンサＣ１，Ｃ２の放電状態を保持できる。これにより、充電電力を高効率で利用できる。
【００５３】
遮断部３１１により、イグニッションオフ時に、充電装置３１と共通電源線５１とが電気的に分離される。このため、電気二重層コンデンサＣ１，Ｃ２に蓄えられた電力が他の回路６１に流れることがなく、制御回路２１の帰零処理に集中して利用可能である。これにより、電気二重層コンデンサＣ１，Ｃ２の容量を抑えることができる。
【００５４】
（変形例）
なお、この発明は上記実施の形態に限定されず、種々の変形及び応用が可能である。
例えば、上記実施の形態においては、制御回路２１が実行する終了処理の一例として、指針付き計器１１の帰零処理をとりあげて説明したが、終了処理は、帰零処理に限定されず、イグニッションオフ後に実行される処理であれば、任意である。例えば、制御回路２１の揮発性メモリに記憶しているデータ、例えば、累積走行距離、直近所定期間の燃費、等のデータを、不揮発性メモリにセーブする等の終了処理を行ってもよい。
【００５５】
また、蓄電するコンデンサの例として、電気二重層コンデンサを例示した。電気二重層コンデンサは、蓄積できるエネルギー密度の観点から望ましいが、他のコンデンサを使用してもよい。また、コンデンサを２個直列に接続して使用する例を示したが、コンデンサの接続形態は任意である。蓄電用のコンデンサの数も任意である。
【００５６】
例示した回路は、同様の機能を達成できるならば、適宜変更可能である。例えば、遮断部３１１は、ダイオードで置換することも可能である。
【００５７】
また、回路をバイポーラトランジスタを用いて構成する例を示したが、ＭＯＳトランジスタを用いて回路を構成することも可能である。また、バッテリの電圧１３Ｖ，レギュレータの電圧５Ｖも例示であり、適宜設定可能である。帰零時に指針が指示する指標も「０」に限らず、任意である。例えば、帰零処理により、指針を「EMPTY」や「OFF」を指示する状態に設定してもよい。
【符号の説明】
【００５８】
１１…指針付き計器
２１…制御回路
３１…充電装置
４１…レギュレータ
５１…共通電源線
１００…計器装置
１１１…指針
１１２…パネル
３１１…遮断部
３１２…充電部
３１３…分圧部
３１４…出力制御部
３１５…出力保持部
３１６…出力部
Ｃ…コンデンサ
Ｔｒ…バイポーラトランジスタ
Ｒ…抵抗
ＢＴ…バッテリ
ＩＧＳＷ…イグニッションスイッチ
ＳＩＧ…イグニッション信号
Ｌ１…内部電源線
Ｌ２…内部電源線
Ｌ３…共通線
【図１】
2019059414.tif 000003
【図２】
2019059414.tif 000004